(57)【要約】【課題】調光制御が容易で、標識灯の明るさを大きくしたときに、消費電力の増加を相対的に抑制することのできる埋込形標識灯及び標識灯装置を提供すること。【解決手段】上面に配設されて斜め上方に向かう光導出溝１ｄおよび光導出溝に連通する内部空間１ｃを備えた灯体１と；灯体の光導出溝および内部空間の間に液密に配設された光路規正用のプリズム２と；プリズムに向かって光を放射するように構成された放電灯３ｂ及び電球３ａ又は発光ダイオード素子を有し、灯体の内部空間に収容された光源ユニット３と；を具備している埋込形標識灯。【選択図】      図３
2004300798.tif 000002
【特許請求の範囲】
【請求項１】
上面に配設されて斜め上方に向かう光導出溝および光導出溝に連通する内部空間を備えた灯体と；
灯体の光導出溝および内部空間の間に液密に配設された光路規正用のプリズムと；
プリズムに向かって光を放射するように構成された放電灯及び電球又は発光ダイオード素子を有し、灯体の内部空間に収容された光源ユニットと；
を具備していることを特徴とする埋込形標識灯。
【請求項２】
上面に配設されて斜め上方に向かう複数の光導出溝および光導出溝に連通する内部空間を備えた灯体と；
灯体の各々の光導出溝および内部空間の間に液密に配設された光路規正用の複数のプリズムと；
特定のプリズムに向かって光を放射するように構成された電球又は発光ダイオード素子を有し、灯体の内部空間に収容された第１の光源ユニットと；
他のプリズムに向かって光を放射するように構成された放電灯を有し、灯体の内部空間に収容された第２の光源ユニットと；
を具備していることを特徴とする埋込形標識灯。
【請求項３】
請求項１または２記載の埋込形標識灯と；
供給される階調電流値が所定値を超えたときに、放電灯を点灯するように構成された放電灯点灯制御装置と；
を具備していることを特徴とする標識灯装置。
【発明の詳細な説明】
【０００１】
【発明の属する技術分野】本発明は、埋込形標識灯および標識灯装置に関する。
【０００２】
【従来の技術】一般に、空港の滑走路や誘導路等に用いられる航空標識灯では、夜間や薄暮又は雨天、霧天時などの視認外部条件によって灯火の明るさを加減（階調）制御する必要がある。この明るさの階調信号は、標識灯の光源の負荷に対応した位相制御の段階状の定電流ラインパワーとして与えられようになっている（例えば、特許文献１参照）。
【０００３】
このような航空標識灯は、その目的に応じて様々な形態のものが製造されているが、これらの標識灯の光源としては、調光制御が容易な白熱電球が多用されており、上記階段状の定電流ラインは、一般的に白熱電球の負荷特性に応じて設定されている。
【０００４】
また、航空標識灯では、滑走路への誘導や離着時の誘導、あるいは侵入経路への誘導等を、厳しい気象条件でもその明かりによって明確且つ確実に飛行機の操縦者に認識させるために、発光効率の向上が望まれている。
【０００５】
ところが、光源として白熱電球が使用されているため、発光効率が悪いという不都合がある。また、周知のように白熱電球に代えて、発光ダイオード素子（ＬＥＤ）を用いたＬＥＤ式標識灯も提案されているが、やはり発光効率が高くない。
【０００６】
【特許文献１】
特開２０００−１７３３０４号公報
【発明が解決しようとする課題】例えば晴天時等、標識灯の視認性を高くするために、標識灯の明るさを大きくするときは、この種光源の発光効率が低いために、消費電力が相対的に大きくなってしまう支障がある。
【０００７】
ここで、キセノン放電灯やメタルハライドランプなどの放電灯は、一般的に電球やＬＥＤよりも発光効率が高いため、これら放電灯を標識灯の光源に適用することも考えられる。しかしながら、これら放電灯に供給するランプ電流を小さくすると、放電現象が不安定となること等に起因して一般的に難しく、また、高価な調光機能付きの安定器が不可欠となるため、実用性に欠ける不具合がある。
【０００８】
そこで、本発明は、調光制御が容易で、標識灯の明るさを大きくしたときに、消費電力の増加を相対的に抑制することのできる埋込形標識灯及び標識灯装置を提供することを目的とする。
【０００９】
【課題を達成するための手段】請求項１記載の発明による埋込形標識灯は、上面に配設されて斜め上方に向かう光導出溝および光導出溝に連通する内部空間を備えた灯体と；灯体の光導出溝および内部空間の間に液密に配設された光路規正用のプリズムと；プリズムに向かって光を放射するように構成された放電灯及び電球又は発光ダイオード素子を有し、灯体の内部空間に収容された光源ユニットと；を具備していることを特徴とする。
【００１０】
請求項２記載の発明による埋込形標識灯は、上面に配設されて斜め上方に向かう複数の光導出溝および光導出溝に連通する内部空間を備えた灯体と；灯体の各々の光導出溝および内部空間の間に液密に配設された光路規正用の複数のプリズムと；特定のプリズムに向かって光を放射するように構成された電球又は発光ダイオード素子を有し、灯体の内部空間に収容された第１の光源ユニットと；他のプリズムに向かって光を放射するように構成された放電灯を有し、灯体の内部空間に収容された第２の光源ユニットと；を具備していることを特徴とする。
【００１１】
請求項３記載の発明による標識灯装置は、請求項１または２記載の埋込形標識灯と；供給される階調電流値が所定値を超えたときに、放電灯を点灯するように構成された放電灯点灯制御装置と；を具備していることを特徴とする。
【００１２】
上記各発明では、空港用としては滑走路中心線灯、誘導路灯、停止線灯など、道路用としては交叉点標識用など所望の用途に適応することができる。さらに、標識灯は光を路面に対して小さな角度で照射する必要があり、また灯体内部においてはランプの光軸を路面に対して小角度で設定することが困難である。そこで、中間にプリズムを介在させてランプから放射された光路を路面方向へ屈折させる。光路規正とは、光路を例えば上述のように所定の方向に規正することを意味する。
【００１３】
電球は、小形高光出力の点からハロゲン電球が好ましいが、クリプトンやキセノンガスを封入した電球においても比較的小形高光出力のものが得られるので、またそれほど小形高光出力を要求されない場合も含めて、その他の電球の使用を許容する。ハロゲン電球にはバルブの表面に赤外線反射膜を形成したものがあるが、発光効率が高いので本発明に好適である。
【００１４】
放電灯についても、小形高光出力の点からキセノンランプやメタルハライドランプなどの通常ＨＩＤランプと称される高圧放電灯が好ましいが、電球に比較して発光効率が相対的に高い低圧放電灯など他の種の放電灯の使用を許容する。
【００１５】
また、本各発明において、電球又は放電灯は、リフレクタと組み合わせて、プリズムに向かって光を放射するように構成させることもできる。
【００１６】
ここで、リフレクタは、基体の内面に高反射率の反射膜を被着したものが好適であるが、基体自体が反射率の高い物質たとえば高純度アルミニウムなどからなる場合は別に反射膜を被着させる必要はない。
【００１７】
【発明の実施の形態】以下、本発明の一実施の形態である埋込形標識灯装置を図面を参照して説明する。
【００１８】
図１は、本発明の一実施の形態を示す埋込形標識灯装置に使用される直線路面用灯体を示す斜視図であり、図２は同じく平面図、図３は、埋込形標識灯を基台に組み付けた状態における断面図である。
【００１９】
図において、埋込形標識灯装置は、埋込形標識灯Ａおよび基台Ｂとを有する。まず、埋込形標識灯Ａについて、符号１は灯体、２は光路規正用のプリズム、３は光源ユニット、４は色フィルタである。
【００２０】
灯体１は、直面路面用であり、上部灯体１ａおよび上部灯体１ａの下面にＯリング５を介して液密に覆合する下部灯体１ｂからなり、両者の間に内部空間１ｃが形成されている。上部灯体１ａの上面には斜め上方に向かう一対の光導出溝１ｄを互いに反対方向に向けて、かつ互いにずらして形成している。
【００２１】
そして、上部灯体１ａの上面中心領域は平坦部１ｅで、その周囲は傾斜面１ｆになっている。光導出溝１ｄは上面の平坦部１ｅおよび傾斜面１ｆに跨って開口している。
【００２２】
１ｇは４つの取付孔であり、周辺部に形成された上部灯体１ａを下部灯体１ｂおよび基台Ｂに取り付けるためのものである。
【００２３】
プリズム２は、光導出溝１ｄと内部空間１ｃとの接続部位に配設されている。
【００２４】
光源ユニット３は、図４に示すように、並置して配置されている片口金タイプのハロゲン電球３ａ及び同タイプの放電灯３ｂとこれらのランプから放射された光を集光させて反射させるリフレクタ３ｃを備えて構成され、角プリズム２、２に対向するように灯体上部１ａの内部空間１ｃに格納されている。
【００２５】
色フィルタ４は、埋込形標識灯の設置場所ごとに定められた放射光色に適合させるために必要に応じて設けられ、プリズム２の入光部の前に配設されている。
【００２６】
次に、基台Ｂについて説明する。図において、符号１１は内周段部、１２は起立壁、１３は中央凹部、１４，１７は取付孔である。なお、図示しないが、基台Ｂの側面には電源ケーブル導入孔が形成されている。
【００２７】
内周段部１１は、埋込形標識灯Ａをその灯体１の底面から若干浮かして取り付けるために灯体１の周辺部を支承するものである。起立壁１２は、埋込形標識灯Ａの側面を包囲して保護する。そして、基台Ｂは起立壁１２の上端まで路面に埋設される。
【００２８】
中央凹部１３は、灯体１をその中央部をＯリング５を介して液密に収納するとともに、標識灯Ａに対する必要な図示しない電気配線を行うために用いられる。図５は、同じく下部灯体の平面図である。
【００２９】
図において、下部灯体１ｂは、図３を参照して明かなように外周にフランジ部１ｂ１を備えた皿状をなしていて、フランジ部１ｂ１に形成した透孔１ｂ２、１ｂ３は下部灯体１ｂ、上部灯体１ａおよび基台Ｂを相互に取り付けるためのものである。
【００３０】
そして、下部灯体１ｂと基台Ｂとの間は、Ｏリング６によって液密に形成される。
【００３１】
図６は、同じく基台の平面図である。図において、符号１４および１７は上部灯体１ａおよび下部灯体１ｂを取り付けるための取付孔である。そして、例えばボルト等の固定手段により、灯体１と基台Ｂを前記取付孔１４，１７を介して着脱自在に固定する。
【００３２】
また、本実施の形態における埋込形標識灯装置では、パワーライン（配線ライン）から供給される例えば表１に示す階調電流の電流値に応じて、放電灯３ｂの点灯を制御する放電灯点灯制御装置Ｃが上部灯体１ａの内部空間１ｃに収容されている。
【００３３】
【表１】
2004300798.tif 000003
【００３４】
この放電灯点灯制御装置Ｃは、埋込形標識灯装置に供給される階調電流の電流値を検出する図示しない電流検出回路部と放電灯３ｂを付勢する安定器を備え、検出された電流値が本実施形態においては、６．６Ａ以上となっているときに、安定器を動作させ、また６．６Ａを下回っているときには、安定器の動作を停止させるように構成されている。なお、安定器が動作を開始する階調電流の電流値は、６．６Ａに限られるものではなく、適宜定めることができる。
【００３５】
ここで、安定器から放電灯３ｂに供給する電力は、ハロゲン電球３ａと放電灯３ｂとから放射される合計の光量が、所定の最大定格光束値となるように予め設定されている。
【００３６】
つまり、埋込形標識灯装置に６．６Ａの階調電流が供給されたとき、放電灯３ｂが点灯し、階調電流が小さいときには、ハロゲン電球３ａのみが点灯している。
【００３７】
なお、ハロゲン電球３ａは、埋込形標識灯装置に供給される階調電流により常時付勢され、したがって、階調電流に応じて調光点灯するように電気的に結線されている。
【００３８】
このように、安定器は、埋込形標識灯装置に供給される階調電流の電流値に応じてその出力が可変するものではなく、所定の電流値以上になったときに動作するものであるため、放電灯３ｂを調光したときに誘発され易い放電の不安定を生じさせることが防止できる。
【００３９】
したがって、本実施の形態によれば、従来どおりの標識灯用定電流電源に接続し、且つ標識灯の階調制御を容易に行え、また、標識灯の明るさを大きくしたときに、発光効率が相対的に高い放電灯が点灯するため、消費電力の増加を相対的に抑制することができる。
【００４０】
図７は、本発明の一実施の形態を示す埋込形標識灯装置に使用される曲線路面用灯体を示す斜視図および図８は、同じく平面図である。この曲線部用灯体は、滑走路または誘導路等の曲がり角である曲線部に設置させるものであり、平面上で１８０度の角度よりも狭い約１５０度位の角度をなして一対の光導出溝１ｄが配置されている。
【００４１】
そして、周辺部に形成された上部灯体１ａ、下部灯体１ｂおよび基台Ｂに取り付けるための４つの取付孔１ｇは、直線路面用灯体の配置と同じ位置に形成されている。
【００４２】
なお、他の構成は、直線路面用灯体と同じである。したがって、基台Ｂに対して取り付ける取付孔１ｇは、直線路面用および曲線路面用とも同じ位置に形成されているので、基台Ｂが共通して使用することができ、その分を製造コストを低減することができる。また、路面に施工する場合には、灯体と符合する専用の基台を考える必要がなく、施工性が向上する。
【００４３】
以上の実施形態においては、電球及び放電灯からの放射光を１つのリフレクタ３ｃを用いて反射集光させるものについて説明しているが、例えば各々の光源ごとにリフレクタを配設させてもよく、また、用途に応じてリフレクタの使用を省略しても良い。
【００４４】
また、電球３ａの代わりに、発光ダイオード素子を用いることもでき、さらには、電球又は発光ダイオードを用いた光源ユニットと別に放電灯を用いた第２の光源ユニットを灯体の内部に分離して収容させて、各々異なった光路規正用のプリズムに向けて光を放射させることもできる。この場合においては、これら光源ユニットと光路規正用のプリズムの間に配設され得る色補正用フィルタを、それぞれの光源の放射光色に応じて適宜選択することもできる。
【００４５】
【発明の効果】本発明によれば、調光制御が容易で、標識灯の明るさを大きくしたときに、消費電力の増加を相対的に抑制することのできる埋込形標識灯及び標識灯装置を提供することができる。
【図面の簡単な説明】
【図１】本発明の一実施の形態を示す埋込形標識灯装置に使用される直線路面用灯体を示す斜視図
【図２】同じく平面図
【図３】埋込形標識灯を基台に組み付けた状態における断面図
【図４】埋込形標識灯装置に使用される光源ユニットの平面図
【図５】同じく下部灯体の平面図
【図６】同じく基台の平面図
【図７】本発明の一実施の形態を示す埋込形標識灯装置に使用される曲線路面用灯体を示す斜視図
【図８】同じく平面図
【符号の説明】
Ａ：埋込形標識灯
Ｂ：基台
Ｃ：放電灯点灯制御装置
１：灯体
１ｄ：光導出溝
１ｃ：内部空間
２：プリズム
３：光源ユニット
３ａ：電球
３ｂ：放電灯
【図１】
2004300798.tif 000004
【図２】
2004300798.tif 000005
【図３】
2004300798.tif 000006
【図４】
2004300798.tif 000007
【図５】
2004300798.tif 000008
【図６】
2004300798.tif 000009
【図７】
2004300798.tif 000010
【図８】
2004300798.tif 000011